(57)【要約】【課題】本発明は、情報記録媒体付き用紙の束から１枚ずつ搬送される用紙と当該用紙の情報記録媒体から読み取った情報とを容易に対応させることができ、該情報を用紙の搬送制御や画像読取制御に利用できる画像読取装置を提供する。【解決手段】画像読取装置は、用紙に付加されたＲＦＩＤチップからデータを読み取るＲＦＩＤリーダを備える。このＲＦＩＤリーダは、用紙が装置内の所定の区間を搬送される間に当該用紙の主走査方向の全範囲で用紙に付加された複数の情報記録媒体の少なくとも１つからデータの読み取りが可能な位置に配置される。且つ、搬送されている用紙以外の用紙に付加された情報記録媒体からデータを読み取らないようにデータの読取可能範囲が設定される。【選択図】図２
2008072355.tif 000002
【特許請求の範囲】
【請求項１】
用紙に付加された情報記録媒体からデータを読み取る読取手段を有する画像読取装置において、
前記読取手段は、用紙が装置内の所定の区間を搬送される間に当該用紙の主走査方向の全範囲で前記用紙に付加された複数の情報記録媒体の少なくとも１つからデータの読み取りが可能な位置に配置され、且つ搬送されている用紙以外の用紙に付加された情報記録媒体からデータを読み取らないようにデータの読取可能範囲が設定されていることを特徴とする画像読取装置。
【請求項２】
前記用紙は、用紙を縦横各２分割した４つの領域のうち、対角にある２つの領域に前記情報記録媒体が各々少なくとも１つ付加されていることを特徴とする請求項１記載の画像読取装置。
【請求項３】
前記用紙に付加された情報記録媒体は、当該情報記録媒体の直近の用紙端からの各距離が前記所定の区間の距離より短くなるように付加されていることを特徴とする請求項１又は２記載の画像読取装置。
【請求項４】
原稿台に載置された用紙束から用紙を１枚ずつ分離する分離手段と、分離された用紙を搬送する搬送手段と、搬送される用紙の位置及び傾きを補正するレジ合わせ手段とを更に有し、前記所定の区間は、前記分離手段から前記レジ合わせ手段までの区間であることを特徴とする請求項１乃至３のいずれか１項に記載の画像読取装置。
【請求項５】
前記情報記録媒体には、前記用紙に関する共通データと、当該情報記録媒体の用紙内配置に関する個別データとが格納され、
前記読取手段により読み取られたデータのうち、前記個別データに基づいて前記用紙の向き及び前記用紙の表裏の少なくとも１つを判別する判別手段を更に有することを特徴とする請求項１乃至４のいずれか１項に記載の画像読取装置。
【請求項６】
用紙上に情報記録媒体を付加する情報記録媒体付加手段を有する画像形成装置において、
前記情報記録媒体付加手段は、用紙を縦横各２分割した４つの領域のうち、対角にある２つの領域に前記情報記録媒体を各々少なくとも１つ付加することを特徴とする画像形成装置。
【請求項７】
用紙の一部に情報記録媒体が付加された情報記録媒体付き用紙において、
前記情報記録媒体は、用紙を縦横各２分割した４つの領域のうち、対角にある２つの領域に各々少なくとも１つ付加され、当該少なくとも２つの情報記録媒体には、前記用紙に関する共通情報と、用紙に付加された少なくとも２つの情報記録媒体を識別するための個別情報とがそれぞれ格納されていることとを特徴とする情報記録媒体付き用紙。
【発明の詳細な説明】
【技術分野】
【０００１】
本発明は、情報記録媒体付き用紙に付加された情報記録媒体から情報を読み取ることができ、読み取った情報を利用して該用紙の搬送制御や画像読取制御を実行する画像読取装置及び該情報記録媒体を用紙に付加する画像形成装置に関する。
【背景技術】
【０００２】
従来、画像読取装置にＲＦＩＤ（Radio Frequancy IDentification）リーダを配置し、原稿に付加されたＲＦＩＤチップから情報を読み取り、当該情報に基づいて原稿画像に所定の処理を加える画像処理システムが提案されている（特許文献１参照）。この画像処理システムでは、原稿に付加されたＲＦＩＤチップから情報を読み取る方法として、原稿台に載置された原稿束から一度に複数の情報を読み取るか、又は画像読取位置の直前で原稿１枚ごとに情報を読み取るかの２つの構成が提案されている。
【特許文献１】特開２００４−０８６７０８号公報
【発明の開示】
【発明が解決しようとする課題】
【０００３】
しかしながら、ＲＦＩＤチップ付き原稿（情報記録媒体付き用紙）の束を原稿台に載置し、当該原稿束の複数のＲＦＩＤチップから情報を一括して読み取った場合、一括して読み取った複数の情報と複数の原稿との関連付けが難しい。
【０００４】
一方、ＲＦＩＤチップ付き原稿の画像読取時に画像読取位置の直前でＲＦＩＤチップから情報を読み取った場合、該情報の読み取りタイミングが遅くなるので、ＲＦＩＤチップから読み取った情報を画像読取位置までの搬送制御に利用することができない。
【０００５】
ＲＦＩＤチップ付き原稿の搬送時の向きや表裏を判別するには、用紙に所望の画像以外にマークを付加する必要がある。
【０００６】
ＲＦＩＤチップが付加されていない従来の原稿において、搬送時向きや表裏を自動的に判別するには、原稿用紙に所望の画像以外のマークを付加する必要がある。このマークの替わりに用紙にＲＦＩＤチップを付加し、該ＲＦＩＤチップに情報を持たせることにより、画像を変更せずに向きや表裏を判別することを考える。この場合、
・複数原稿と複数チップの一対一対応関連付けが難しい、
・ＲＦＩＤチップからの情報の読取タイミングが遅いと情報を制御に利用できない
という課題が生じる。
【０００７】
本発明は、情報記録媒体付き用紙の束から１枚ずつ搬送される用紙と当該用紙の情報記録媒体から読み取った情報とを容易に対応させることができ、読み取った情報を用紙の搬送制御や画像読取制御に利用できる画像読取装置を提供することを目的とする。
【０００８】
また、本発明は、用紙の向きや表裏等を容易に判別することが可能な情報記録媒体付き用紙を作成することができる画像形成装置を提供することを目的とする。
【０００９】
また、本発明は、用紙の向きや表裏等を容易に判別することが可能な画像読取装置及び該画像読取装置で利用する情報記録媒体付き用紙を作成できる画像形成装置を提供することを目的とする。
【課題を解決するための手段】
【００１０】
上記目的を達成するために、請求項１記載の画像読取装置は、用紙に付加された情報記録媒体からデータを読み取る読取手段を有する画像読取装置において、前記読取手段は、用紙が装置内の所定の区間を搬送される間に当該用紙の主走査方向の全範囲で前記用紙に付加された複数の情報記録媒体の少なくとも１つからデータの読み取りが可能な位置に配置され、且つ搬送されている用紙以外の用紙に付加された情報記録媒体からデータを読み取らないようにデータの読取可能範囲が設定されていることを特徴とする。
【００１１】
上記目的を達成するために、請求項６記載の画像形成装置は、用紙上に情報記録媒体を付加する情報記録媒体付加手段を有する画像形成装置において、前記情報記録媒体付加手段は、用紙を縦横各２分割した４つの領域のうち、対角にある２つの領域に前記情報記録媒体を各々少なくとも１つ付加することを特徴とする。
【００１２】
上記目的を達成するために、請求項７記載の情報記録媒体付き用紙は、用紙の一部に情報記録媒体が付加された情報記録媒体付き用紙において、前記情報記録媒体は、用紙を縦横各２分割した４つの領域のうち、対角にある２つの領域に各々少なくとも１つ付加され、当該少なくとも２つの情報記録媒体には、前記用紙に関する共通情報と、用紙に付加された少なくとも２つの情報記録媒体を識別するための個別情報とがそれぞれ格納されていることとを特徴とする。
【発明の効果】
【００１３】
本発明によれば、用紙に付加された情報記録媒体からデータを読み取る読取手段が、用紙が装置内の所定の区間を搬送される間に当該用紙の主走査方向の全範囲で用紙に付加された複数の情報記録媒体の少なくとも１つからデータの読み取りが可能な位置に配置され、且つ搬送されている用紙以外の用紙に付加された情報記録媒体からデータを読み取らないようにデータの読取可能範囲が設定されている。これにより、情報記録媒体付き用紙の束から１枚ずつ搬送される用紙と当該用紙の情報記録媒体から読み取った情報とを容易に対応させることができ、読み取った情報を用紙の搬送制御や画像読取制御に利用できる。
【００１４】
また、本発明によれば、情報記録媒体付加手段が、用紙を縦横各２分割した４つの領域のうち、対角にある２つの領域に情報記録媒体を各々少なくとも１つ付加する。これにより、用紙の向きや表裏等を容易に判別することが可能な情報記録媒体付き用紙を作成することができる。
【００１５】
また、本発明によれば、情報記録媒体が用紙を縦横各２分割した４つの領域のうち、対角にある２つの領域に各々少なくとも１つ付加され、当該少なくとも２つの情報記録媒体には、用紙に関する共通情報と、用紙に付加された少なくとも２つの情報記録媒体を識別するための個別情報とがそれぞれ格納されている。これにより、情報記録媒体の読取手段による該情報記録媒体からのデータ読み取りに要する時間や用紙の搬送距離を削減することができる。
【発明を実施するための最良の形態】
【００１６】
以下、本発明の実施の形態を図面を参照して詳細に説明する。
【００１７】
［第１の実施形態］
図１は、本発明の第１の実施形態におけるＲＦＩＤチップ付き用紙の形状を示す図である。
【００１８】
図１において、ＲＦＩＤチップ付き用紙（情報記録媒体付き用紙：以下、「用紙」という。）１００は、用紙上の図示の位置にＲＦＩＤ（Radio Frequancy IDentification）チップ１０１ａ，１０１ｂが付加されたものである。ＲＦＩＤチップ１０１ａ，１０１ｂは、いわゆるＲＦＩＤタグ、ＩＣタグと呼ばれるものであり、それぞれがデータを記憶する記憶部と該データを無線により送受信する送受信部とを備える。
【００１９】
ＲＦＩＤチップ１０１ａ，１０１ｂは、用紙１００を縦横各２分割した４つの領域のうち、対角（又は対角線上）にある２つの領域にそれぞれ付加されている。図示の例では、用紙１００の「左上」にＲＦＩＤチップ１０１ａ、「右下」にＲＦＩＤチップ１０１ｂが付加されている。
【００２０】
ＲＦＩＤチップ１０１ａは、用紙１００の左上の領域上で直近の用紙端から位置（Ａｘ，Ａｙ）に付加されている。Ａｘは用紙１００の左端からＲＦＩＤチップ１０１ａ（の中心）までの距離、Ａｙは用紙１００の上端からＲＦＩＤチップ１０１ａ（の中心）までの距離を示す。
【００２１】
一方、ＲＦＩＤチップ１０１ｂは、用紙１００の右下の領域上で直近の用紙端から位置（Ｂｘ，Ｂｙ）に付加されている。Ｂｘは用紙１００の右端からＲＦＩＤチップ１０１ｂ（の中心）までの距離、Ｂｙは用紙１００の下端からＲＦＩＤチップ１０１ｂ（の中心）までの距離を示す。
【００２２】
本実施の形態では、ＲＦＩＤチップが用紙の左上の領域、右下の領域にそれぞれ１つずつ付加されているがこれに限定されるものではない。
【００２３】
このように、ＲＦＩＤチップを用紙上の対角領域（縦横に各２つに分割した４領域のうち、例えば右上と左下にあたる２領域）にそれぞれ１つ以上付加する。これにより、後述するＲＦＩＤリーダを備える装置等で用紙１００上のＲＦＩＤチップからデータを読み取る場合、ＲＦＩＤリーダによる該ＲＦＩＤチップのデータ読取に要する時間や用紙の搬送距離（ＲＦＩＤチップがＲＦＩＤリーダの可読範囲に到達するまでの距離や時間の最大値）を削減することができる。
【００２４】
次に、本発明の第１の実施形態に係る画像読取装置の概略構成を図２（ａ）、図２（ｂ）を参照して説明する。本画像読取装置は、図１の用紙１００に相当する原稿を読み取り対象とするものである。
【００２５】
図２（ａ）は、図１の用紙１００が原稿トレイに載置された画像読取装置を真上から見た概略図である。図２（ｂ）は、本発明の第１の実施形態に係る画像読取装置の概略構成を示す縦断面図である。
【００２６】
まず、図２（ｂ）において、画像読取装置は、用紙１００である原稿を自動で装置内へ給送する自動原稿給送部（Auto Document Feeder、以下「ＡＤＦ」という。）２００と、原稿の画像を読み取る画像読取部２５０とを備える。
【００２７】
ＡＤＦ２００は、原稿トレイ（原稿台）２０１上に載置された原稿束Ｓを１枚ずつ分離し、各種搬送ローラで画像読取位置Ｒまで搬送する。画像読取部２５０は、ＡＤＦ２００により搬送されてくる原稿の画像を画像読取位置Ｒで読み取る。また、画像読取部２５０は、プラテンガラス２５２上に載置された１枚の原稿の画像を読み取ることもできる。
【００２８】
ＡＤＦ２００において、ピックアップローラ２０２は、原稿トレイ２０１上に表面を上に向けて載置された原稿束Ｓの最上位の原稿を分離ローラ２０３へと繰り出す。ピックアップローラ２０２により繰り出された原稿は、分離ローラ２０３と対向する位置に固定された分離パッドとにより１枚ずつ分離される。
【００２９】
本画像読取装置において片面原稿の表面の画像を読み取る場合、分離された原稿は、第１レジストローラ２０４で斜行補正された後に、第１レジストローラ２０４から第２レジストローラ２０５、第１搬送ローラ２０６へ搬送される。そして、画像読取位置Ｒで原稿表面の画像が読み取られる。その後、第２搬送ローラ２０７から排紙ローラ２０８に搬送され、排紙ローラ８により排紙トレイ２０９上に原稿表面を下に向けて順番に排出される。
【００３０】
一方、両面原稿で表裏両面の画像を読み取る場合、分離された原稿は、第１レジストローラ２０４で斜行補正された後に、第２レジストローラ２０５から第１搬送ローラ２０６、第２搬送ローラ２０７へ搬送される。そして、画像読取位置Ｒで原稿表面の画像が読み取られる。
【００３１】
次に、原稿は第２搬送ローラ２０７から排紙ローラ２０８に搬送され、一旦、排紙ローラ８により排紙トレイ２０９へ向けて搬送される。そして、原稿後端が排紙ローラ２０８にニップされた状態で原稿の搬送が停止される。その後、原稿はスイッチバック搬送され、第２レジストローラ２０５で再度斜行補正された後に、第１搬送ローラ２０６及び第２搬送ローラ２０７により搬送される。そして、画像読取位置Ｒで原稿裏面の画像が読み取られる。このまま原稿が第２搬送ローラ２０７から排紙ローラ２０８まで搬送され、排紙ローラ２０８により排紙トレイ２０９上に原稿表面を上に向けて原稿が排出されると、原稿トレイ２０１上に載置された面順と異なってしまう。
【００３２】
そこで、裏面が読み取られた原稿は、第２搬送ローラ２０７及び排紙ローラ２０８により、再度排紙トレイ２０９上に向けて搬送され、原稿後端側が排紙ローラ２０８にニップされた状態で原稿の搬送が停止される。その後、原稿はスイッチバック搬送され、第２レジストローラ２０５、第１搬送ローラ２０６、及び第２搬送ローラ２０７により搬送された後に、排紙ローラ２０８により排紙トレイ２０９上に表面を下に向けて順番に排出される。このとき、原稿が画像読取位置Ｒを搬送されている間であっても、原稿画像の読み取りは行われない。
【００３３】
画像読取部２５０は、原稿に記録（印刷）された画像を光学的に読み取り、光電変換して画像データとして入力するものである。画像読取部２５０は、ＡＤＦ用プラテンガラス２５１と、ブック用プラテンガラス２５２と、スキャナユニット２５９と、ミラー２５５，２５６と、レンズ２５７と、ＣＣＤセンサ２５８と、後述するプリンタ制御ユニットとを備える。スキャナユニット２５９は、ランプ２５３とミラー２５４を有する。
【００３４】
画像読取部２５０は、ＡＤＦ２００により搬送される原稿の画像を読み取る場合、スキャナユニット２５９をＡＤＦ用プラテンガラス２５１の下に移動して停止させ、原稿が画像読取位置Ｒ上を搬送されている間に原稿上の画像を読み取る。
【００３５】
また、画像読取部２５０は、ブック用プラテンガラス２５２上に載置された原稿の画像を読み取る場合、スキャナユニット２５９を図示しない基準位置から副走査方向に移動させ、スキャナユニット２５９により原稿を走査して当該原稿から画像を読み取る。
【００３６】
原稿上の画像が読み取られる際には、ランプ２５３が点灯して原稿を照射する。原稿の反射光は、ミラー２５４，２５５，２５６及びレンズ２５７を介してＣＣＤセンサ２５８に入力される。そして、ＣＣＤセンサ２５８に入力された原稿の反射光は、光電変換等の電気処理が行われ、通常のデジタル処理が施される。
【００３７】
ＡＤＦ２００は、搬送されている用紙１００からＲＦＩＤチップ１０１ａ，１０１ｂを検出して当該ＲＦＩＤチップ１０１ａ，１０１ｂからデータを読み取ることが可能なＲＦＩＤリーダ２１０ａ，２１０ｂを備える。
【００３８】
ＲＦＩＤリーダ２１０ａ，２１０ｂには、図２（ａ）に示すように、ＲＦＩＤリーダ２１０ａ，２１０ｂを中心として放射円状の範囲にあるＲＦＩＤチップからデータの読み取りが可能な可読範囲（データの読取可能範囲）２１ａ，２１ｂがそれぞれ設定されている。可読範囲２１ａ，２１ｂは、搬送されている用紙以外の用紙に付加されたＲＦＩＤチップからデータを読み取らないように設定されている。
【００３９】
また、ＲＦＩＤリーダ２１０ａ，２１０ｂは、分離ローラ２０３から第１レジストローラ２０４までの区間を用紙が搬送されている間に当該用紙の主走査方向の全範囲でＲＦＩＤチップ１０１ａ，１０１ｂのいずれ１つからデータ読み取りが可能な位置に配置される。
【００４０】
次に、分離ローラ２０３から第１レジストローラ２０４までの区間の距離をＬとし、用紙１００を画像読取装置で画像読取を行う場合の動作について説明する。
【００４１】
図２（ａ）に示す用紙の向きで画像読取が行われる場合、用紙１００上のＲＦＩＤチップ１０１ａ内のデータは、用紙１００の搬送方向の先端から距離Ａｙの位置にあるＲＦＩＤチップ１０１ａがＲＦＩＤリーダ２１０ｂの可読範囲２１ｂ内に入ることにより読み出される。ＲＦＩＤリーダ２１０ｂは、距離Ｌ以内でＲＦＩＤチップからＲＦＩＤデータの読み取りができるように配置されている。そのため、用紙先端からＲＦＩＤチップ１０１ａまでの距離Ａｙが距離Ｌよりも短ければ、ＲＦＩＤリーダ２１０ｂは、用紙１００が第１レジストローラ２０４を越える前にＲＦＩＤチップ１０１ａからデータの読み取りが可能となる。
【００４２】
また、用紙１００は、図２（ａ）に示す用紙の向きに対して、縦横反対、天地（上下）逆、或いは裏表逆に搬送されることもあることから、用紙先端からＲＦＩＤチップまでの距離はＡｙだけでなく、Ａｘ，Ｂｙ，Ｂｘとなる場合がある。ＲＦＩＤリーダ２１０ａ，２１０ｂは、上述した位置に配置され且つ可読範囲が所定の範囲で設定され、また、図１に示す形状のＲＦＩＤチップ付き用紙１００が使用される。この結果、ＲＦＩＤリーダ２１０ａ，２１０ｂの可読範囲２１ａ，２１ｂには、ＲＦＩＤチップ１０１ａ，１０１ｂが同時ではなく、ＲＦＩＤチップ１０１ａ，１０１ｂのいずれか一方が先に到達する。
【００４３】
そこで、本実施の形態では、４つの距離Ａｘ，Ａｙ，Ｂｘ，Ｂｙがいずれも距離Ｌより短くなるように用紙１００上にＲＦＩＤチップ１０１ａ，１０１ｂが付加され、且つ共通するデータがＲＦＩＤチップ１０１ａ，１０１ｂの両方に設定されている。これにより、用紙１００の向きに関わらず、第１レジストローラ２０４を越える前、即ちレジスト前にＲＦＩＤチップ１０１ａ又はＲＦＩＤチップ１０１ｂからデータを読み取ることが可能となる。その結果、読み取ったデータを読み取り後の用紙搬送制御や画像読取制御に利用することができる。
【００４４】
図３は、図１のＲＦＩＤチップ１０１ａ，１０１ｂに格納されたデータの構成例を示す図である。図３（ａ）は用紙１に関するデータの構成例を示し、図３（ｂ）は用紙２に関するデータの構成例を示す。図４は、ＲＦＩＤチップに格納される用紙情報コード及び原稿情報コードの詳細を示す図である。
【００４５】
データは、所定のアドレスに個別データ部と共通データ部と備える。個別データ部には、各ＲＦＩＤチップに設定された固有のタグＩＤが格納されている。タグＩＤ領域４１１，４１２，４２１，４２２は、ＲＦＩＤチップを識別するための固有のタグＩＤが予め格納されている領域である。タグＩＤはＲＦＩＤチップごとに異なる３２ビットの数値である。例えば、図３（ａ）に示す用紙１のＲＦＩＤチップ１０１ａには、タグＩＤ０として「０１２３ｈ」、タグＩＤ１として「４５６７ｈ」（「ｈ」は１６進表記を示す）が格納されている。一方、用紙１のＲＦＩＤチップ１０１ｂには、タグＩＤ０として「７６５４ｈ」、タグＩＤ１として「３２１０ｈ」が格納されている。この場合、ＲＦＩＤチップ１０１ａのタグＩＤは「４５６７０１２３ｈ」、１０１ｂのタグＩＤは「３２１０７６５４ｈ」となる。
【００４６】
また、図３（ｂ）に示す用紙２のＲＦＩＤチップ１０１ａには、タグＩＤ０として「１４３２ｈ」、タグＩＤ１として「７５３１ｈ」が格納されている。一方、用紙２のＲＦＩＤチップ１０１ｂには、タグＩＤ０として「９５８７ｈ」、タグＩＤ１として「８６４３ｈ」が格納されている。図３（ａ）と同様、ＲＦＩＤチップ１０１ａのタグＩＤは「７５３１１４３２ｈ」、ＲＦＩＤタグ１０１ｂのタグＩＤは「８６４３９５８７ｈ」となる。
【００４７】
一方、共通データ部には、当該用紙に設定された用紙情報や原稿情報が格納されている。用紙情報コード領域４１３，４２３には、ＲＦＩＤチップを用紙に付加する際、付加対象の用紙に関する情報が格納される。この例では上位８ビットに用紙サイズ、下位８ビットに紙種コードが格納されている。原稿情報コード領域４１４，４２４には、ＲＦＩＤチップが付加された用紙に画像を記録する際、記録される画像に関する情報が格納される。この例では上位８ビットに記録された画像の色コード、下位８ビットに両面画像ありなしコードが格納される。
【００４８】
図４において、用紙情報コードは、紙種コードとサイズコードで構成される。紙種コードは、例えば、普通紙、薄紙、厚紙、ＯＨＰに対応するコード（１６進数）が割り当てられている。サイズコードは、例えば、Ａ４、Ｂ４、Ａ３、Ｂ５、Ａ４Ｒ、Ｂ５Ｒに対応するコード（１６進数）が割り当てられている。
【００４９】
原稿情報コードは、色コードと面コードで構成される。色コードは、例えば、Ｙ，Ｍ，Ｃ，Ｋに対応するコードが割り当てられている。色コードは、Ｙ，Ｍ，Ｃ，Ｋの４色とも使用する場合（フルカラー）、ＢＩＴ３〜ＢＩＴ０がＨＩＧＨになる。そのため、１６進数で表記すると「０Ｆ（ｈ）」となり、図３の上位８ｂｉｔに等しくなる。面コードは、例えば、片面、両面に対応するコード（１６進数）が割り当てられている。
【００５０】
このように、用紙上のどちらのＲＦＩＤチップが先に検出されても当該チップから読み取ったデータを制御動作に利用できるように、２つのＲＦＩＤチップには共通データとして両方に同一の用紙情報と原稿情報がそれぞれ格納されている。
【００５１】
図５及び図６は、厚さが異なる用紙を搬送するときの画像読取装置の動作を示すフローチャートである。
【００５２】
通常、画像読み取り位置Ｒまでの用紙の搬送はできる限り速いことが望ましく、一方、読み取り位置Ｒでは画像の倍率に応じた一定の速度で安定して用紙を搬送することが必要になる。このため、図２の画像読取装置内の第１レジストローラ２０４と第２レジストローラ２０５との間で用紙を可能な限り高速に搬送し、第２レジストローラ２０５から画像読み取り位置Ｒまでの距離を利用して用紙を読み取り速度まで減速する制御が行われる。
【００５３】
ここで、用紙の種類が「薄紙」である場合、普通紙と比較して紙づまりや斜行によるしわを起こしやすいため、これを防ぐのに普通紙で許容される最高速度より遅い速度での搬送が望ましい。また、用紙が「厚紙」である場合、堅さにより第２レジストローラ２０５以降の湾曲面で用紙が斜行しやすいため、第２レジストローラ２０５で一旦停止して再度レジスト合わせを行った後読み取り位置まで搬送するように制御する。これらの制御における各用紙の搬送速度推移の一例を図７に示す。
【００５４】
図５において、原稿トレイ２０１に原稿束Ｓが載置され、不図示のスタートキーが押下されると、ＡＤＦ２００は、原稿束Ｓの一番上の１枚を分離し、第１レジストローラ２０４までの用紙搬送を開始する（ステップＳ１００１）。この搬送の間に、ＲＦＩＤリーダ２１０ａ又はＲＦＩＤリーダ２１０ｂは、用紙上のＲＦＩＤチップ１０１ａ，１０１ｂのいずれかを検出する（ステップＳ１００２）。検出した場合は（ステップＳ１００２でＹＥＳ）、ＲＦＩＤリーダ２１０ａ又はＲＦＩＤリーダ２１０ｂは、検出されたＲＦＩＤチップからデータを読み取り、当該データから紙種コードＣＰを取得して記憶しておく（ステップＳ１００３）。紙種コードＣＰは、不図示のＲＡＭ等に記憶される。
【００５５】
画像読取装置におけるレジ前センサ２２０が用紙を検出し、用紙がレジ前センサ２２０に到達すると（ステップＳ１００４でＹＥＳ）、上述したように、第１レジストローラ２０４で用紙の斜行を防ぐレジ取りを行うために用紙の搬送を一時停止する（ステップＳ１００５）。一方、ＲＦＩＤチップを検出しないまま用紙先端がレジ前センサ２２０に達した場合は、用紙にＲＦＩＤチップが付加されていないものと判断され、デフォルトで設定されている画像読取動作が実行される。
【００５６】
次に、ステップＳ１００６では、用紙の搬送を一時停止させ、次の搬送動作に移るにあたり、ＲＦＩＤチップ内のデータから取得した紙種コードＣＰに基づいて制御を切り替える。
【００５７】
紙種が普通紙の場合
ＡＤＦ２００は、制御ソフトウェアにより搬送速度の時間的変化及び送距離を［加速テーブル１］で定義された値に設定する。加速テーブル１は、図７の搬送速度推移特性図において、普通紙におけるレジストローラ位置（距離０）〜第２レジストローラ位置Ｘまでの動作特性を示すテーブルであり、搬送速度を停止状態から最大速度Ｖ１まで加速し、第１レジストローラ２０４から第２レジストローラ２０５までの距離Ｘを搬送するための制御値が設定される。上記加速テーブル１の設定後、用紙の搬送をスタートする（ステップＳ１００７，Ｓ１０１０）。
【００５８】
搬送された用紙が目標距離Ｘに到達すると（ステップＳ１０１１）、ＡＤＦ２００は、搬送速度の時間的変化及び搬送距離を［減速テーブル１］で定義された値にセットする。減速テーブル１は、図７の搬送速度推移特性図において、普通紙における第２レジストローラ位置（距離Ｘ）から画像読取位置Ｒ（距離Ｙ）までの動作特性を示すテーブルである。初速Ｖ１から読取速度Ｖｒまで減速し、「第１レジストローラ２０４から画像読取位置Ｒまでの距離Ｙ」−「第１レジストローラ２０４から第２レジストローラ２０５までの距離Ｘ」の距離だけ搬送するための制御値が設定される。この設定に従って用紙を減速する（ステップＳ１０１２）。画像読取位置Ｒに用紙先端が到着したときは（ステップＳ１０１６）、読取速度Ｖｒで用紙搬送を継続し、読取動作を行う。
【００５９】
紙種が薄紙の場合
普通紙の場合と動作は同じだが、第２レジストローラ２０５まで搬送する搬送速度を最大速度Ｖ１より小さい速度Ｖ２に設定してゆっくり搬送する。このとき、制御ソフトウェアにより搬送速度の時間的変化及び搬送距離の制御目標値は加速テーブル２で定義された値にセットされる。加速テーブル２は、図７の搬送速度推移特性図において薄紙のレジストローラ位置（距離０）〜第２レジストローラ位置Ｘまでの動作特性を示すテーブルである。これにより搬送速度目標値をＶ２、目標距離がＸに設定して搬送するための制御値を設定して用紙の搬送がスタートする（ステップＳ１００８，Ｓ１０１０）。このため、画像読取位置Ｒまでの減速動作も普通紙とは異なる設定になる（ステップＳ１０１３）。ここでは、制御ソフトウェアにより搬送速度の時間的変化及び搬送距離の制御目標値が減速テーブル２で定義された値にセットされる。減速テーブル２は、図７の薄紙における第２レジストローラ位置（距離Ｘ）から画像読取位置Ｒ（距離Ｙ）までの動作特性を示すテーブルである。これにより、目標速度が読取速度Ｖｒに設定され、目標距離が「第１レジストローラ２０４から画像読取位置Ｒまでの距離Ｙ」−「第１レジストローラ２０４から第２レジストローラ２０５までの距離Ｘ」に設定されて用紙を減速する。
【００６０】
紙種が厚紙の場合
初めの搬送速度は普通紙と同じ最大速度Ｖ１に設定される。第２レジストローラ２０５で２度目のレジ取りを行うため、目標距離を第２レジストローラ２０５までの距離Ｘから停止までの減速距離Ｘ１を除いたものに設定される（ステップＳ１００９）。減速距離Ｘ１はその時点での動作速度により決定される数値であり、制御プログラムが持っている。
【００６１】
距離Ｘ−減速距離Ｘ１の搬送が終了すると（ステップＳ１０１１）、制御ソフトウェアにより搬送速度の時間的変化及び搬送距離の制御目標値が減速テーブル３で定義された値にセットされる。減速テーブル３は、図７の厚紙における減速開始位置（距離Ｘ−Ｘ１）から第２レジストローラ位置（距離Ｘ）までの動作特性を示すテーブルである。これにより、目標速度を０（停止）、目標距離をＸ１に設定して減速し、用紙搬送を停止して第２レジストローラ２０５に突き当てる（ステップＳ１０１４）。その後、再度搬送をスタートし、画像読取位置Ｒで読取速度Ｖｒになるよう加速する（ステップＳ１０１５）。
【００６２】
このように、原稿の搬送開始後に当該搬送される原稿に関する情報を取得することが可能になり、ＲＦＩＤチップ付き用紙の束から１枚ずつ搬送される用紙と当該用紙のＲＦＩＤチップから読み取ったデータとを容易に対応させることができ、読み取ったデータを用紙の搬送制御や画像読取制御に利用できる。
【００６３】
なお、上記実施の形態では、紙種による制御変更例を挙げたが、これに限定されるものではなく、用紙サイズや両面、カラー等原稿の属性に関するさまざまなデータに基づいた制御が可能である。また、上述した距離Ａｘ，Ａｙ，Ｂｘ，Ｂｙは、１枚の用紙内で等しい必要はなく、また各用紙で異なっても構わない。
【００６４】
［第２の実施形態］
図８は、本発明の第２の実施形態に係る画像形成装置を含む画像形成システムの概略構成を示す縦断面図である。なお、本画像形成システムは、図２に示す画像読取装置を含むことから上記第１の実施形態で説明した構成要素には、同一の符号を付してその説明は省略する。
【００６５】
本画像形成システムは、図２に示す画像読取装置（ＡＤＦ２００、画像読取部２５０）と、画像形成装置とで構成される。画像形成装置は、画像形成部１０と、給紙ユニット２０と、中間転写ユニット３０と、定着器４０と、制御ユニット（不図示）とを備える。
【００６６】
画像形成部１０は、同一構成の４つのステーション（ａ，ｂ，ｃ，ｄ）が並設されている。画像形成部１０は、感光ドラム１１ａ〜１１ｄの外周面に対向して、回転方向の上流側から一次帯電器１２ａ〜１２ｄ、光学系１３ａ〜１３ｄ、現像ユニット１４ａ〜１４ｄが配置される。
【００６７】
一次帯電器１２ａ〜１２ｄは各感光ドラム１１ａ〜１１ｄ表面に均一な電荷を与える。次いで光学系１３ａ〜１３ｄが各色画像信号に応じたレーザなどの光線で各感光ドラム１１ａ〜１１ｄを露光し、静電潜像が形成される。更に、４色の現像剤（トナー）を収納した現像ユニット１４ａ〜１４ｄが上記静電潜像をそれぞれの色で顕像化させ、顕像化された可視画像が中間転写ベルト３１に転写される。画像転写領域Ｔａ〜Ｔｄの下流側のドラム面上にはクリーニング装置１５ａ〜１５ｄが設けられる。
【００６８】
給紙ユニット２０は、記録用紙Ｐを収納するカセット２１００ａ，２１００ｂ及び手差しトレイ２７、記録用紙Ｐを１枚ずつ送り出すピックアップローラ２２ａ，２２ｂ，２６、記録用紙Ｐをレジストローラまで搬送する給紙ローラ対２３及び給紙ガイド２４を備える。そして、給紙ユニット２０は、画像の記録タイミングに合わせて記録用紙Ｐを二次転写領域Ｔｅへ送り出すためのレジストローラ２５ａ，２５ｂを備える。
【００６９】
中間転写ユニット３０では、中間転写ベルト３１が駆動ローラ３２、テンションローラ３３、従動ローラ３４に巻回されている。駆動ローラ３２とテンションローラ３３との間には一次転写平面Ａが形成される。各感光ドラム１１ａ〜１１ｄと中間転写ベルト３１が対向する一次転写領域Ｔａ〜Ｔｄでは、中間転写ベルト３１の裏に一次転写ブレード３５ａ〜３５ｄが配置される。また、従動ローラ３４に対向して二次転写ローラ３６が配置され、二次転写領域Ｔｅを形成する。中間転写ベルト３１上の二次転写領域Ｔｅの下流には、中間転写ベルト３１の画像形成面をクリーニングするためのクリーニング装置が配されている（不図示）。
【００７０】
定着器４０は、画像が転写された記録用紙Ｐが搬送路４３上を搬送されてくると、その記録用紙Ｐを加熱、加圧して、その転写画像を記録用紙Ｐ上に定着させる。そして、画像が定着された記録用紙Ｐは、排紙ローラ対４４，４５により次工程へ搬送される。
【００７１】
制御ユニットは、各ユニット内の機構の動作を制御するための制御基板や、モータドライブ基板などを備える。
【００７２】
定着器４０を過ぎた搬送路の下流には、ＲＦＩＤチップ付加部５００が配置されている。排紙ローラ対４４，４５により排出された記録用紙Ｐは、ＲＦＩＤチップ付加部５００内部に搬送される。
【００７３】
図９（ａ）は、図８のＲＦＩＤチップ付加部５００の概略構成を示す縦断面図である。なお、図示のＲＦＩＤチップ付加部５００の向きは、図８に示す向きとは反対になる。図９（ｂ）は、ＲＦＩＤチップ付加部５００を給紙側方向から見た図である。
【００７４】
ＲＦＩＤチップ付加部５００は、画像形成装置内の定着器４０から排出された記録用紙Ｐの所定の位置にＲＦＩＤチップを付加する。ＲＦＩＤチップ付加部５００は、２つのスタンプ部５０２ａ，５０２ｂと、ロールシート５０６ａ，５０６ｂと、ローラ対５０３と、排紙ローラ対５０５と、排紙トレイ６００と、ＲＦＩＤライタ５０４ａ，５０４ｂとを備える。
【００７５】
ローラ対５０３は、画像形成装置内の定着器４０から排出された記録用紙ＰをＲＦＩＤチップ付加部５００内に搬送する搬送ローラである。
【００７６】
ロールシート５０６ａ，５０６ｂは、ＲＦＩＤチップ付きシール５０７ａ，５０７ｂがそれぞれ等間隔に複数貼付されており、ローラ５０１ａ，５０１ｂ及びローラ５０１ｃ，５０１ｄにより所定の間隔でそれぞれ張架されている。ＲＦＩＤチップ付きシール５０７ａ，５０７ｂは、図１で説明したＲＦＩＤチップ付き用紙１００を作成するためのＲＦＩＤチップ１０１ａ，１０１ｂ付きのシールである。
【００７７】
スタンプ部５０２ａは、ローラ５０１ａとローラ５０１ｂとの間にあって、該ローラ５０１ａ，５０１ｂにより張架されているロールシート５０６ａ上に配置されている。同様に、スタンプ部５０２ｂは、ローラ５０１ｃとローラ５０１ｄとの間にあって、該ローラ５０１ｃ，５０１ｄにより張架されているロールシート５０６ｂ上に配置されている。そして、スタンプ部５０２ａ，５０２ｂがそれぞれロールシート５０６ａ，５０６ｂに向かって押圧することにより、各ロールシート５０６ａ，５０６ｂのＲＦＩＤチップ付きシール５０７ａ，５０７ｂが、搬送されてくる記録用紙Ｐの所定の位置に付加される。そして、ＲＦＩＤチップ付きの記録用紙Ｐは、排紙ローラ対５０５により排紙トレイ６００に排出される。
【００７８】
ロールシート５０６ａとロールシート５０６ｂは、それぞれが図９（ｂ）に示す矢印（左右）方向に独立して移動が可能である。これにより、記録用紙Ｐの主走査方向に対するＲＦＩＤチップ付きシール５０７ａ，５０７ｂの付加位置を制御することができる。一方、記録用紙Ｐの副走査方向に対するＲＦＩＤチップ付きシール５０７ａ，５０７ｂの付加位置は、スタンプ部５０２ａ，５０２ｂが記録用紙ＰにＲＦＩＤチップ付きシール５０７ａ，５０７ｂを押圧するタイミングにより制御することができる。
【００７９】
図１０は、ＲＦＩＤチップ付加部５００の制御系統の概略を示すブロック図である。
【００８０】
プリンタ制御ユニット４００は、画像形成装置内の制御ユニットであり、ＲＦＩＤチップ付加部５００の制御ユニット５１０と接続して互いに通信を行う。プリンタ制御ユニット４００は、画像形成装置内の定着器４０から記録用紙Ｐが排出される際に、ＲＦＩＤチップ付加部５００の制御ユニット５１０に対して、排出する記録用紙Ｐの用紙サイズ情報、該記録用紙Ｐに記録された画像の情報（原稿情報）を渡す。用紙サイズ情報は、上記図３（ａ）及び図３（ｂ）で説明した用紙情報コードであり、原稿情報は原稿情報コードである。
【００８１】
ＲＦＩＤチップ付加部５００の制御ユニット５１０は、プリンタ制御ユニット４００から受け取った用紙サイズ情報や原稿情報に基づいて、記録用紙Ｐに付加するＲＦＩＤチップ５０７ａ，５０７ｂに格納するデータの内容を決定する。
【００８２】
また、制御ユニット５１０は、受け取った用紙サイズ情報からロールシート５０６ａ，５０６ｂの位置及びスタンプ部５０２ａ，５０２ｂが下動するタイミングを計算し、ロールシート５０６ａ，５０６ｂを移動させる。具体的には、制御ユニット５１０は、用紙サイズ情報と図１に示した用紙端からの所定距離Ａｘ，Ａｙ，Ｂｘ，Ｂｙとから、ＲＦＩＤチップを付加する位置（２箇所）の主走査方向位置、副走査方向位置（Ｘ１，Ｙ１）、（Ｘ２，Ｙ２）を次のように決定する。ここでいう用紙サイズ情報は、主走査方向幅Ｗ、副走査方向長さＬとする。
【００８３】
Ｘ１＝  −（Ｗ／２−Ａｘ）
Ｘ２＝    Ｗ／２−Ｂｘ
Ｙ１＝  Ａｙ
Ｙ２＝  Ｌ−Ｂｙ
ここで、Ｘ１，Ｘ２は中央基準、Ｙ１，Ｙ２はＲＦＩＤチップ付加部５００のローラ対５０３の位置を起点とし、ローラ対５０３からスタンプ部５０２ａ，５０２ｂまでの搬送距離をＳとする。上記（Ｘ１，Ｙ１）、（Ｘ２，Ｙ２）を元に、制御ユニット５１０は、予めロールシート５０６ａ，５０６ｂの位置をＸ１，Ｘ２に対応した位置に移動する。
【００８４】
そして、スタンプ部５０２ａ，５０２ｂが押圧するタイミングを、それぞれ記録用紙ＰがＹ１＋Ｓ，Ｙ２＋Ｓの距離だけ搬送されたタイミングに決定し、スタンプ部５０２ａ，５０２ｂを制御して記録用紙Ｐの所定位置にＲＦＩＤチップを付加する。
【００８５】
本実施の形態では、ＲＦＩＤチップ付加部５００が制御ユニット５１０を有し、プリンタ制御ユニット４００と通信を行って、ＲＦＩＤチップ付加動作の制御内容を決定したが、これに限ったものではない。例えば、プリンタ制御ユニット４００とＲＦＩＤチップ付加部５００内の各ブロックとが直接接続され、プリンタ制御ユニット４００からＲＦＩＤチップ付加動作を直接制御することも可能である。
【００８６】
ＲＦＩＤチップ付加動作が完了すると、次のＲＦＩＤチップ付きシール５０７ａ，５０７ｂがスタンプ部５０２ａ，５０２ｂ下のＲＦＩＤチップ付加可能な位置に到達するまでローラ５０１ａ，５０１ｂ及びローラ５０１ｃ，５０１ｄをそれぞれ回転させる。そして、次の記録用紙Ｐへの付加動作に備える。ＲＦＩＤチップが付加された記録用紙Ｐは、更にローラ対５０３の回転により搬送される。
【００８７】
ＲＦＩＤライタ５０４ａ，５０４ｂは、記録用紙Ｐが搬送されている間に、プリンタ制御ユニット４００からの用紙サイズ情報や原稿情報を記録用紙Ｐに付加された２つのＲＦＩＤチップにそれぞれ書き込む。ＲＦＩＤチップに書き込まれた情報は、上記図３（ａ）及び図３（ｂ）に示したデータ（以下、「ＲＦＩＤデータ」という。）である。
【００８８】
原稿情報コード領域４１４，４２４には、ＲＦＩＤチップが付加された記録用紙Ｐに画像を記録する際、記録される画像に関する情報が格納される。例えば、カラー／白黒、片面／両面等である。原稿となる画像を記録用紙Ｐに記録するときは、記録した画像に付随する情報としてＲＦＩＤチップにＲＦＩＤデータを書き込む。
【００８９】
本実施の形態では、定着器４０から排出された後すぐに記録用紙ＰにＲＦＩＤチップを付加しているので、用紙の原稿情報コードは上記サイズ、紙種に関するデータと同様に記録される。
【００９０】
また、ＲＦＩＤチップ付き用紙に画像を記録する場合、画像形成装置がＲＦＩＤライタ５０４ａ，５０４ｂを備え、記録済用紙に記録した画像の情報を該ＲＦＩＤライタ５０４ａ，５０４ｂにより書き込む。または、上記ＲＦＩＤチップ付加部５００がＲＦＩＤチップを付加せず書き込む処理のみを行う。
【００９１】
このように、図１に示したＲＦＩＤチップ付き用紙１００を作成するためのＲＦＩＤチップ付加部５００を画像形成装置に配置する。これにより、用紙の向きや表裏等を容易に判別することが可能な情報記録媒体付き用紙を作成することができる。また、ＲＦＩＤチップが付加されていない用紙等に画像を記録（印刷）する際に、ＲＦＩＤチップを容易に付加することができ、作成されたＲＦＩＤチップ付き用紙を利用して自装置や他の装置上での用紙の搬送制御や画像読取制御を行うことが可能になる。
【００９２】
本実施の形態では、記録用紙ＰにＲＦＩＤチップを付加する場所は、画像記録後の排紙部に限るものではなく、給紙部から直接画像記録（プリント）前の用紙に用紙情報を持ったＲＦＩＤチップを付加したり、或いは画像読取装置側の排紙部に取り付けて読み取った原稿にＲＦＩＤチップを付加したりしてもよい。
【００９３】
［第３の実施形態］
図１１は、本発明の第３の実施形態におけるＲＦＩＤチップ１０１ａ，１０１ｂに格納されたデータの構成例を示す図である。
【００９４】
アドレス先頭には、ＲＦＩＤチップに初めから一意に振られているタグＩＤが格納されている。アドレス０２ｈには、用紙内配置ＩＤとして、ＲＦＩＤチップ１０１ａには「左上」を表す「０」、ＲＦＩＤチップ１０１ｂには「右下」を表す「１」が格納されている。用紙内配置ＩＤは用紙状態でつけてもよいし、画像を記録する際に画像に合わせてセットしてもよい。その場合、用紙サイズと用紙内配置ＩＤにより、記録された画像が縦画像か横画像かを決定できる。例えば、原稿が表のときは「左上、右下」の順でＲＦＩＤデータが読み取られる。一方、原稿が裏のときは「右上、左下」の順でＲＦＩＤデータが読み取られる。
【００９５】
アドレス０３ｈ以降には、上記第１及び第２の実施形態と同様、ＲＦＩＤチップ１０１ａとＲＦＩＤチップ１０１ｂに対して同じＲＦＩＤデータを書き込み、どちらが先に検出されても読取動作が同様に実行できるようにする。
【００９６】
図１２（ａ）及び図１２（ｂ）は、用紙の向きと実際にデータを読み取るＲＦＩＤリーダの関係を示す図である。
【００９７】
用紙方向（用紙の向き）は、読み取ったＲＦＩＤデータにおける用紙サイズ情報から取得可能である。ＲＦＩＤデータを読み取ったＲＦＩＤリーダ２１０ａ又はＲＦＩＤリーダ２１０ｂは、ＲＦＩＤチップ１０１ａ，１０１ｂのどちらを先に読み取ったかを特定できれば、ＲＦＩＤデータを読み取った用紙の向き及び表裏を決定することが可能である。
【００９８】
ＲＦＩＤデータを読み取ったＲＦＩＤリーダ（信号が入ってきた方）をＲＦＩＤリーダ２１０ａ（右）かＲＦＩＤリーダ２１０ｂ（左）のどちらかに特定する。ＲＦＩＤチップは、用紙の真中には配置されていないので、２つあるＲＦＩＤリーダのどちらか一方にしか信号が入ってこないようになっている。
【００９９】
図１２（ｂ）において、「向き＝Ｒ」の用紙を搬送する場合、用紙が距離Ａｙ搬送された時点でＲＦＩＤチップ１０１ａがＲＦＩＤリーダ２１０ｂの可読範囲２１ｂに入る。
【０１００】
一方、用紙を時計回りに９０°回転させて用紙の向きを変えた場合（図１２（ｂ）の「向き＝Ｈ」）、用紙が距離Ａｘ搬送された時点でＲＦＩＤチップ１０１ａがＲＦＩＤリーダ２１０ａの可読範囲２１ａに入る。
【０１０１】
このようにして、用紙の搬送が開始された後、初めに検出されるＲＦＩＤチップが１０１ａ，１０１ｂのどちらであるか、検出したＲＦＩＤリーダが２１０ａ，２１０ｂのどちらであるかを特定する。これにより、用紙の向きを０°，９０°，１８０°，２７０°の中から特定することができる。
【０１０２】
また、９０°回転させた用紙を搬送方向と垂直な軸で裏返しにした場合（図１２（ｂ）の「向き＝Ｈ裏」）を考える。裏返したことによりＲＦＩＤチップの前後関係が逆になり、ＲＦＩＤチップ１０１ｂが先にＲＦＩＤリーダ２１０ｂの可読範囲２１ｂに入る。このときの搬送距離はＢｘとなり、表で１８０°回転した場合と検出されるまでの搬送距離が異なるので、裏返しであることが特定できる。
【０１０３】
このように、ＲＦＩＤチップの用紙上の位置を示す用紙内配置ＩＤをＲＦＩＤチップに格納することにより、当該用紙内配置ＩＤに基づいてＲＦＩＤチップ付き用紙の搬送向きや用紙の裏表を容易に判定することが可能となる。
【０１０４】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１０５】
この場合、記憶媒体から読み出されたプログラムコード自体が前述した実施の形態の機能を実現することになり、そのプログラムコード及び該プログラムコードを記憶した記憶媒体は本発明を構成することになる。
【０１０６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしてもよい。
【０１０７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【０１０８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【図面の簡単な説明】
【０１０９】
【図１】本発明の第１の実施形態におけるＲＦＩＤチップ付き用紙の形状を示す図である。
【図２】（ａ）は図１の用紙が原稿トレイに載置された画像読取装置を真上から見た概略図であり、（ｂ）は本発明の第１の実施形態に係る画像読取装置の概略構成を縦断面図である。
【図３】図１のＲＦＩＤチップに格納されたデータの構成例を示す図であり、（ａ）は用紙１に関するデータの構成例を示し、（ｂ）は用紙２に関するデータの構成例を示す。
【図４】ＲＦＩＤチップに格納される用紙情報コード及び原稿情報コードの詳細を示す図である。
【図５】厚さが異なる用紙を搬送するときの画像読取装置の動作を示すフローチャート（その１）である。
【図６】厚さが異なる用紙を搬送するときの画像読取装置の動作を示すフローチャート（その２）である。
【図７】図５及び図６の動作における各用紙の搬送速度推移の一例を示す図である。
【図８】本発明の第２の実施形態に係る画像形成装置を含む画像形成システムの概略構成を示す縦断面図である。
【図９】（ａ）は図８のＲＦＩＤチップ付加部の概略構成を示す縦断面図であり、（ｂ）はＲＦＩＤチップ付加部を給紙側方向から見た図である。
【図１０】ＲＦＩＤチップ付加部の制御系統の概略を示すブロック図である。
【図１１】本発明の第３の実施形態におけるＲＦＩＤチップに格納されたデータの構成例を示す図である。
【図１２】用紙の向きと実際にデータを読み取るＲＦＩＤリーダの関係を示す図であり、（ａ）は表に示したもの、（ｂ）は概念図である。
【符号の説明】
【０１１０】
１０  画像形成部
２００  自動原稿給送部（ＡＤＦ）
２０４  第１レジストローラ
２０５  第２レジストローラ
２１０ａ，２１０ｂ  ＲＦＩＤリーダ
２５０  画像読取部
５００  ＲＦＩＤチップ付加部
５０２ａ，５０２ｂ  スタンプ部
５０１ａ〜５０１ｄ  ローラ
５０６ａ，５０６ｂ  ロールシート
５０７ａ，５０７ｂ  ＲＦＩＤチップ付きシール
５０３  ローラ対
５０４ａ，５０４ｂ  ＲＦＩＤライタ
【図１】
2008072355.tif 000003
【図２】
2008072355.tif 000004
【図３】
2008072355.tif 000005
【図４】
2008072355.tif 000006
【図５】
2008072355.tif 000007
【図６】
2008072355.tif 000008
【図７】
2008072355.tif 000009
【図８】
2008072355.tif 000010
【図９】
2008072355.tif 000011
【図１０】
2008072355.tif 000012
【図１１】
2008072355.tif 000013
【図１２】
2008072355.tif 000014